(57)【特許請求の範囲】
【請求項１】
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムであって、
前記監視マネージャが、前記監視対象計算機からメッセージ情報を取得するメッセージ情報取得手段と、これらのメッセージの重要度に応じた表示有効回数値とメッセージ取得時刻と画面表示設定の情報とを前記メッセージ情報に付加するメッセージ情報適用手段と、これらの情報が付加された前記メッセージ情報を格納するメッセージ情報格納手段とを備えると共に、
前記メッセージ情報適用手段が、新らしいメッセージを取得した際に前記メッセージ情報格納手段に既に格納されている前記メッセージ情報の前記表示有効回数値が一番小さく且つ表示の時間経過が一番長いメッセージの前記メッセージ情報に画面非表示設定を付加するメッセージ非表示設定部と、
このメッセージ情報に基づいて画面表示指令をするメッセージ情報表示手段と、
前記メッセージ情報を前記メッセージ情報表示手段の指令の基に画面表示するメッセージウィンドウとを備えていることを特徴とする情報処理機器の運用管理システム。
【請求項２】
請求項１に記載の情報処理機器の運用管理システムにおいて、
前記メッセージ情報適用手段が、前記監視対象計算機からメッセージ情報を取得した際に、前記メッセージ情報格納手段に既に格納されている各メッセージ情報の各前記表示有効回数値を一つ下げる表示有効回数値減算部を備えたことを特徴とする情報処理機器の運用管理システム。
【請求項３】
請求項１又は２に記載の情報処理機器の運用管理システムにおいて、
前記メッセージ情報適用手段は、前記監視対象計算機から前記メッセージを取得した際に、前記メッセージの重要度が高いものに大きい値の前記表示有効回数値を設定する表示有効回数付加部を備えていることを特徴とする情報処理機器の運用管理システム。
【請求項４】
請求項１乃至３の何れか一つに記載の情報処理機器の運用管理システムにおいて、
前記メッセージ情報表示手段が、前記メッセージの重要度が高いものから大きく、予め設定された重要度に対応した文字の大きさでメッセージの文字を前記メッセージウィンドウに表示するように設定する表示文字サイズ設定機能を備えたことを特徴とする情報処理機器の運用管理システム。
【請求項５】
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムにあって、
前記監視対象計算機からメッセージ情報を前記監視マネージャが取得する際に、このメッセージの重要度に応じた表示有効回数値とメッセージ取得時刻と画面表示設定の情報とを前記メッセージ情報に前記監視マネージャに予め備えられたメッセージ情報適用手段が付加し、
これらの情報が付加された前記メッセージ情報を前記監視マネージャに予め備えられたメッセージ情報格納手段が格納し、
前記メッセージ情報格納手段に格納されている前記メッセージ情報の前記表示有効回数値が一番小さく且つ表示の時間経過が一番長いメッセージのメッセージ情報に前記メッセージ情報適用手段に予め備えられたメッセージ非表示設定機能が画面非表示設定を付加し、
このメッセージ情報に基づいて前記監視マネージャに予め備えられたメッセージ情報表示手段が画面表示指令をし、前記メッセージ情報を前記メッセージ情報表示手段の指令の基に前記監視マネージャに予め備えられたメッセージウィンドウが画面表示することを有することを特徴とする情報処理機器の運用管理方法。
【請求項６】
請求項５に記載の情報処理機器の運用管理方法において、
前記メッセージ情報適用手段に予め備えられた表示有効回数値減算部が、新らしいメッセージ情報を取得する際に、前記メッセージ情報格納手段に格納されている各メッセージ情報の各前記表示有効回数値を一つ下げることを特徴とする情報処理機器の運用管理方法。
【請求項７】
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムにあって、
前記監視対象計算機からメッセージ情報を取得する機能、このメッセージの重要度に応じた表示有効回数値とメッセージ取得時刻と画面表示設定の情報とを前記メッセージ情報に付加する機能、これらの情報が付加された前記メッセージ情報を格納する機能、新らしいメッセージを取得する度に、前記メッセージ情報を格納する機能によって既に格納されている前記メッセージ情報の前記表示有効回数値が一番小さく且つ表示の時間経過が一番長いメッセージの前記メッセージ情報に画面非表示設定を付加する機能、このメッセージ情報に基づいて画面表示指令をする機能、及び前記メッセージ情報をこの指令の基に画面表示する機能をコンピュータに実現させるようにしたことを特徴とする情報処理機器の運用管理プログラム。
【請求項８】
請求項７に記載の情報処理機器の運用管理プログラムにおいて、
更に、前記コンピュータに、前記メッセージ情報を取得する機能が新らしいメッセージ情報を取得する度に、前記メッセージ情報を格納する機能によって既に格納されている各メッセージ情報の前記各表示有効回数値を一つ下げる機能を実現させるようにしたことを特徴とする情報処理機器の運用管理プログラム。
【発明の詳細な説明】
【技術分野】
【０００１】
本発明は、情報処理機器の運用管理に係り、特に、情報処理機器からの稼動状況を知らせるメッセージの内、重要度の高いメッセージが重要度の低いメッセージによって容易に表示画面から消去されることを防ぐことができる情報処理機器の運用管理システム、運用管理方法、及び運用管理プログラムに関する。
【背景技術】
【０００２】
情報処理システムの状態を把握する方法として、情報処理機器上で動作するプログラムのログ（履歴）出力や応答を受信し、メッセージを表示する方法が広く普及している。前記メッセージの表示により、情報処理システムの管理者は、情報処理システムの状態を把握し、異常の発生を発見し、対処することができる。例えば、オンラインメッセージウィンドウ（情報処理機器に接続した受信器が受信した伝言を表示する画面）に、受信した全てのメッセージを表示する運用管理製品がある。
【０００３】
このような運用管理製品では、新しく受信したメッセージを表示する際には、このメッセージは、既に表示されているメッセージの一番下に表示される。メッセージにより前記表示画面がすべて埋め尽くされている場合は、すべてのメッセージは、文字列が画面内で上に移動（スクロール）し、画面で一番上のメッセージが画面から消去される。
【０００４】
大規模な情報処理システムにおいては、処理量の増大や、システム障害の発生により、前記メッセージが短時間に大量に発生(メッセージラッシュ)することがある。このようにメッセージが大量に発生した際に、前記のような運用管理製品での限られた行数のオンラインメッセージウィンドウ内では、それぞれのメッセージは一瞬で文字列が画面内で上に移動（スクロール）し、次々とこれらのメッセージは画面から消える。そのため、オペレータは、全てのメッセージに目を通すことができず、重要なメッセージを見逃してしまう恐れがあった。
【０００５】
上記の情報処理機器の運用管理システムに直接関係する関連技術の例を図８に示す。この図８は、関連技術の情報処理機器の運用管理システムの構造を示すブロック図である。
この運用管理システムは、情報処理機器である監視対象計算機１１０と、この監視対象計算機１１０からメッセージ情報を受けてこの監視対象計算機１１０が保持するメッセージ情報を取得すると共にこのメッセージ情報に基づいてメッセージを表示する監視マネージャ１００とから構成されている。
【０００６】
この内、監視対象計算機１１０は、当該監視対象計算機１１０が持っているメッセージ情報を収集するメッセージ情報収集手段１１１と、このメッセージ情報収集手段１１１が収集したメッセージ情報を格納するメッセージ情報蓄積手段１１２とから構成されている。
【０００７】
メッセージ情報収集手段１１１は、監視対象計算機１１０自身が持っているメッセージ情報、例えば、デバッグ情報、通常情報、警告情報、及び重要情報を収集する。このメッセージ情報収集手段１１１は、これらのメッセージ情報をメッセージ情報蓄積手段１１２に格納する。メッセージ情報蓄積手段１１２は、具体的にはハードディスクドライブとその動作をコントロールするコンピュータとからなる機器で構成されている。
【０００８】
又、監視マネージャ１００は、監視対象計算機１１０からメッセージ情報を取得するメッセージ情報取得手段１０１と、このメッセージ情報の表示を管理するメッセージ情報表示手段１０２と、前記メッセージ情報をメッセージ情報表示手段１０２の指令に基づいて表示するメッセージウィンドウ１０３とを備えている。
メッセージ情報取得手段１０１は、、監視対象計算機１１０からメッセージ情報を取得し、このメッセージ情報をメッセージ情報表示手段１０２へ送信する。メッセージ情報表示手段１０２は、メッセージ情報取得手段１０１が受け取ったメッセージ情報を基に、メッセージの表示法とメッセージの内容を作成し、これらをメッセージウィンドウ１０３へと送信する。
【０００９】
メッセージウィンドウ１０３は、メッセージ情報表示手段１０２から受信したメッセージの表示法とメッセージの内容に基づいて、メッセージを表示する。
【００１０】
具体的には、メッセージウィンドウ１０３は、メッセージ情報表示手段１０２からメッセージの表示指令とメッセージの内容とメッセージの表示法を受信すると共に、受信したメッセージの表示法とメッセージの内容に基づいて、メッセージを表示する。メッセージウィンドウ１０３に表示されたメッセージは、新しいメッセージが受信されると、そのメッセージは、前に表示されたメッセージの下に表示される。表示される場所がない場合は、以前に表示された複数のメッセージは、画面上へと移動する。一番上のメッセージは、画面から消去される。
【００１１】
又、前記メッセージの表示装置に関する技術としては、下記特許文献１乃至特許文献６が知られている。
特許文献１には、コンテンツが更新されると、配信サーバは、予め設定された配信ルールに従って配信有効回数を設定してコンテンツに付加し、配信データとして送信することを特徴とする技術が開示されている。この技術では、配信端末では、受信した配信データを蓄積した後、利用者端末に配信データを送信する。そして、利用者端末が、受信した配信データ内のコンテンツを表示した後、配信有効回数を１減少させ、配信有効回数が０でない場合は、他の利用者端末に配信データを送信し、配信有効回数が０となった場合は、配信データを削除する。
【００１２】
特許文献２には、ネットワークゲームの会話システムにおいて、システムからの特定メッセージがスクロールし、画面から消去されないよう、一定時間の間、会話ウィンドウのスクロール領域を狭め、システムからの特定メッセージを開いた領域に表示することを特徴とするシステムが開示されている。
【００１３】
特許文献３には、画面制御表示装置である携帯電話では、起動しているアプリケーションについて、ネットワークを介して新たに情報を受信したとき、または受信した情報が先に受信した情報から変化していた場合、受信した情報に含まれる時間情報に基づいて表示の優先度が決定され、起動している他のアプリケーションの画面との間で、上記優先度に従って表示の優先順位が変更される。そして、各アプリケーションの画面で、その優先順位の高い情報を視認しやすいレイアウトに従って表示されることを特徴とするシステムが開示されている。
【００１４】
特許文献４には、ディスプレイ表示装置の画面上の文字フォントサイズを入力行より離れるに従って段階的に小さくする縮小表示を行なうことができるようにし、表示行数を増加させるとともにオペレータにとって特に重要な入力行及びその近辺の画面中のデータの認識を容易にすることを特徴とするディスプレイ表示装置が開示されている。
【００１５】
特許文献５には、多数のウィンドウ画面を管理する場合に、表示順番記述テーブルを用意しておいて、表示を優先させる一定数のウィンドウ画面のみを画面上にタイル表示させ、他はアイコン化して画面上に表示させておくことを特徴とするシステムが開示されている。この技術では、表示中のアイコンが選択されて再表示の指定がされると、テーブルを参照して表示順番が最古のウィンドウ画面を選択し、指定されたアイコンに該当するウィンドウ画面と選択された画面を入れ換えて表示させることにより、多数のウィンドウ画面の表示を効率よく管理するとともに、画面の操作性が向上する。
【００１６】
特許文献６には、特定のメッセージの出力頻度を計算し、出力方法を変えることでオペレータが重要なメッセージを見落としにくくすることを特徴とするシステムが開示されている。
【先行技術文献】
【特許文献】
【００１７】
【特許文献１】特開２００５−１５７４７５
【特許文献２】特許第３５７４１０６
【特許文献３】特開２００８−６４７７３
【特許文献４】特開平５−１８８９１８
【特許文献５】特開平９−１８５４８１
【特許文献６】ＷＯ９９／５０７５０
【発明の概要】
【発明が解決しようとする課題】
【００１８】
しかしながら、上述したシステムでは、新しいメッセージがひとつのスクロール画面内に追加され、既表示のメッセージを消去する際に、重要なメッセージでもスクロール画面から容易に消えてしまうという課題があった。
【００１９】
又、特許文献１は、配信端末で、利用者端末に配信データを送信して、再配信有効回数がゼロとなった場合は、配信データを削除することに関する技術であり、重要なメッセージをスクロール画面から容易に消去することを防止することに関する技術ではなく、上記課題は何ら解消するものではない。
【００２０】
特許文献２は、ネットワークゲームでの会話システムにおいて、システムからの特定メッセージが画面内でスクロールし画面から消去されないよう、一定時間だけ会話ウィンドウのスクロール領域を狭め、システムからの特定メッセージを表示することを特徴とするシステムに関する技術であり、一つのウインドウ内でシステムからの特定メッセージが画面内でスクロールし画面から消去されないようにすることはできず、上記課題は何ら解消するものではない。
【００２１】
特許文献３乃至特許文献６に関しては、表示装置に表示することに関する技術であるが、重要なメッセージをスクロール画面から容易に消去することを防止することに関する技術ではなく、上記課題は何ら解消するものではない。
【００２２】
［発明の目的］
本発明は、上記課題を改善するために成されたもので、特に、情報システムを運用管理する場合、情報処理機器からの稼働状況を知らせるメッセージを出力する際に、重要度の高いメッセージが、重要度の低いメッセージによって容易に表示画面から消去されることを防ぐ情報処理機器の運用管理システム、運用管理方法、及び運用管理プログラムを提供することを、その目的とする。
【課題を解決するための手段】
【００２３】
上記目的を達成するため、本発明にかかる情報処理機器の運用管理システムは、
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムであって、
前記監視マネージャが、前記監視対象計算機からメッセージ情報を取得するメッセージ情報取得手段と、これらのメッセージの重要度に応じた表示有効回数値とメッセージ取得時刻と画面表示設定の情報とを前記メッセージ情報に付加するメッセージ情報適用手段と、これらの情報が付加された前記メッセージ情報を格納するメッセージ情報格納手段とを備えると共に、
前記メッセージ情報適用手段が、新らしいメッセージを取得した際に前記メッセージ情報格納手段に既に格納されている前記メッセージ情報の前記表示有効回数値が一番小さく且つ表示の時間経過が一番長いメッセージの前記メッセージ情報に画面非表示設定を付加するメッセージ非表示設定部と、
このメッセージ情報に基づいて画面表示指令をするメッセージ情報表示手段と、
前記メッセージ情報を前記メッセージ情報表示手段の指令の基に画面表示するメッセージウィンドウとを備えていることを特徴とする。
【００２４】
上記目的を達成するため、本発明にかかる情報処理機器の運用管理方法は、
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムにあって、
前記監視対象計算機からメッセージ情報を前記監視マネージャが取得する際に、このメッセージの重要度に応じた表示有効回数値とメッセージ取得時刻と画面表示設定の情報とを前記メッセージ情報に前記監視マネージャに予め備えられたメッセージ情報適用手段が付加し、
これらの情報が付加された前記メッセージ情報を前記監視マネージャに予め備えられたメッセージ情報格納手段が格納し、
前記メッセージ情報格納手段に格納されている前記メッセージ情報の前記表示有効回数値が一番小さく且つ表示の時間経過が一番長いメッセージのメッセージ情報に前記メッセージ情報適用手段に予め備えられたメッセージ非表示設定機能が画面非表示設定を付加し、
このメッセージ情報に基づいて前記監視マネージャに予め備えられたメッセージ情報表示手段が画面表示指令をし、前記メッセージ情報を前記メッセージ情報表示手段の指令の基に前記監視マネージャに予め備えられたメッセージウィンドウが画面表示することを有することを特徴とする。
【００２５】
上記目的を達成するため、本発明にかかる情報処理機器の運用管理プログラムは、
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムにあって、
前記監視対象計算機からメッセージ情報を取得する機能、このメッセージの重要度に応じた表示有効回数値とメッセージ取得時刻と画面表示設定の情報とを前記メッセージ情報に付加する機能、これらの情報が付加された前記メッセージ情報を格納する機能、新らしいメッセージを取得する度に、前記メッセージ情報を格納する機能によって既に格納されている前記メッセージ情報の前記表示有効回数値が一番小さく且つ表示の時間経過が一番長いメッセージの前記メッセージ情報に画面非表示設定を付加する機能、このメッセージ情報に基づいて画面表示指令をする機能、及び前記メッセージ情報をこの指令の基に画面表示する機能をコンピュータに実現させるようにしたことを特徴とする。
【発明の効果】
【００２６】
本発明は、情報処理機器からの稼働状況を知らせるメッセージの重要度に応じて、このメッセージにメッセージウインドウ内に留まる時間に差を設けるようにしたので、重要度の高いメッセージが、重要度の低いメッセージによって容易に表示画面から消去されることを防ぐことができるという優れた情報処理機器の運用管理システム、運用管理方法、及び運用管理プログラムを提供することができる。
【図面の簡単な説明】
【００２７】
【図１】本発明の情報処理機器の運用管理システムの一実施形態の構造を示すブロック図である。
【図２】本発明の情報処理機器の運用管理システムの一実施形態におけるメッセージの重要度とそれに対応して付加されるＴＴＬ値の一例を示す図表である。
【図３】図１に開示した一実施形態における情報処理機器の運用管理システムの動作工程を示すフローチャートである。
【図４】図３に開示したフローチャートの内、有効回数減算処理の動作工程を示すフローチャートである。
【図５】図３に開示したフローチャートの内、表示処理の動作工程を示すフローチャートである。
【図６】図１に開示した一実施形態の第一の実施例を示すメッセージウィンドウ表示の動作例である。
【図７】本発明の情報処理機器の運用管理システムの一実施形態の第二の実施例を示すメッセージの重要度とそれに対応して表示されるメッセージのフォントサイズ（Ａ）とこのフォントサイズに対応したメッセージを画面に表示した例（Ｂ）を示す図表である。
【図８】関連技術における情報処理機器の運用管理システムの構造を示すブロック図である。
【発明を実施するための形態】
【００２８】
以下、本発明に係る情報処理機器の運用管理システムの一実施形態を、図１乃至図８に基づいて具体的に説明する。
【００２９】
（全体の構成）
まず、本実施形態について、その基本的構成内容を説明する。
図１は、本発明の情報処理機器の運用管理システムの第１実施形態の構造を示すブロック図である。
本実施形態の情報処理機器の運用管理システムは、メッセージ情報を収集する監視対象計算機１０と、この監視対象計算機１０から稼働状況を知らせるメッセージ情報を受け、その情報に基づいてこのメッセージ情報を取得し表示する監視マネージャ１とから構成されている。
【００３０】
監視対象計算機１０は、当該監視対象計算機１０自身が持っている稼働状況を知らせるメッセージ情報を収集するメッセージ情報収集手段１１と、このメッセージ情報収集手段１１が収集したメッセージ情報を格納するメッセージ情報蓄積手段１２とから構成されている。これにより、稼働状況を知らせるメッセージ情報が、メッセージ情報蓄積手段１２に蓄積されこのメッセージ情報を容易に取り出すことができるようになる。
【００３１】
又、監視マネージャ１は、前記稼働状況を知らせるメッセージ情報を監視対象計算機１０から取得するメッセージ情報取得手段２を備えており、これにより、前記メッセージ情報を取得できる。又、監視マネージャ１は、メッセージ情報取得手段２から前記メッセージ情報を受け取りメッセージの重要度に応じてＴＴＬ（Ｔｉｍｅ  Ｔｏ  Ｌｉｖｅ、表示有効回数）値を各メッセージ情報に付加するメッセージ情報適用手段３と、このＴＴＬ値が付加されたメッセージ情報を格納するメッセージ情報格納手段４と、このメッセージ情報に基づいて各メッセージの表示を指令するメッセージ情報表示手段５と、前記メッセージ情報をメッセージ情報表示手段５の指令の基に各メッセージを表示するメッセージウィンドウ６とを備えている。これにより、前記メッセージ情報をメッセージの重要度の情報に基づいてメッセージウィンドウ６に表示することができる。
【００３２】
この内、メッセージ情報適用手段３はメッセージの重要度に応じてＴＴＬ値を各メッセージに付加する表示有効回数付加部３Ｂと、このＴＴＬ値が付加されたメッセージ情報をメッセージ格納手段４に送信するメッセージ情報送受信部３Ａを備えている。又、メッセージ情報適用手段３は、新らしいメッセージを取得する時にメッセージ情報格納手段４に格納されている各メッセージ情報の各ＴＴＬ値を一つ下げるようにメッセージ情報格納手段４に指令する表示有効回数減算部３Ｄと、画面表示設定がされているメッセージの内で、そのメッセージに係るＴＴＬ値が一番小さく且つ表示の時間経過が一番長いメッセージを画面非表示の設定にするメッセージ非表示設定部３Ｅとを備えている。メッセージウィンドウ６は、メッセージ情報表示手段５から受信したメッセージの表示方法の指令とメッセージの内容に基づいてメッセージを表示する。
【００３３】
以下、これを更に具体的に説明する。
【００３４】
まず、監視対象計算機１０が備えているメッセージ情報収集手段１１は、監視対象計算機１０自身が持っているメッセージ情報、例えば、デバッグ情報、通常情報、警告情報、及び重要情報等を収集する。メッセージ情報収集手段１１は、これらのメッセージ情報をメッセージ情報蓄積手段１２に送信する。
【００３５】
メッセージ情報蓄積手段１２は、メッセージ情報収集手段１１から受信した前記メッセージ情報を格納する。メッセージ情報蓄積手段１２は、具体的にはハードディスクドライブとその動作をコントロールするコンピュータとからなる機器で構成されている。
【００３６】
一方、監視マネージャ１側に関しては、メッセージ情報取得手段２は、監視対象計算機１０から送信されたメッセージ情報を受信し、メッセージ情報適用手段３へ送信する。
又、このメッセージ情報適用手段３は、メッセージ情報取得手段２から受信したメッセージ情報に、前述したようにＴＴＬ値、時刻及び画面表示情報などのメッセージに関する情報を付加する。
【００３７】
メッセージ情報適用手段３は、監視対象計算機１０のメッセージ情報取得手段２から前記メッセージ情報を取得すると共にメッセージ情報格納手段４とメッセージ情報適用手段３の各部間とに前記メッセージ情報を送受信するメッセージ情報送受信部３Ａと、このメッセージの重要度に応じてＴＴＬ値を各メッセージに付加する表示有効回数付加部３Ｂと、メッセージ情報適用手段３が前記メッセージ情報を受信した時刻をメッセージ情報に付加する時刻付加部３Ｃとを備えている。又、メッセージ情報適用手段３は、新らしいメッセージを取得する時にメッセージ情報格納手段４に格納されている各メッセージ情報の各ＴＴＬ値を一つ下げる表示有効回数減算部３Ｄと、メッセージ情報格納手段４内の画面表示の設定がされているメッセージ情報の中で、ＴＴＬ値が一番小さく且つ表示の時間経過が一番大きいメッセージを画面非表示の設定にするメッセージ非表示設定部３Ｅとで構成されている。
【００３８】
この内、メッセージ情報送受信部３Ａは、監視対象計算機１０のメッセージ情報取得手段２から前記メッセージ情報を取得する。又、このメッセージ情報送受信部３Ａは、メッセージ情報格納手段４から前記メッセージ情報を送受信すると共に、メッセージ情報適用手段３の表示有効回数付加部３Ｂ、時刻付加部３Ｃ、表示有効回数減算部３Ｄ、及びメッセージ非表示設定部３Ｅの各部間と前記メッセージ情報を送受信する。メッセージ情報送受信部３Ａは、このメッセージ情報をメッセージ格納手段４に送付し、メッセージ格納手段４は、この情報を格納して保存する。
【００３９】
又、表示有効回数付加部３Ｂは、メッセージ情報送受信部３Ａがメッセージ情報を受信した際に、メッセージの重要度に応じてＴＴＬ値をメッセージ情報送受信部３Ａが保持するメッセージ情報に付加する。例として、図２に、メッセージの重要度２１とそれに対応して設定される初期のＴＴＬ値２２を示す。メッセージの重要度２１は、重要、警告、通常及びデバッグ情報の４段階が存在し、それぞれにＴＴＬ値が１０、５、３及び１が設定される。重要度の高いメッセージほど大きいＴＴＬ値が設定される。これにより、メッセージの重要度の高いメッセージ情報に、高いＴＴＬ値が付加される。
【００４０】
時刻付加部３Ｃは、メッセージ情報送受信部３Ａがメッセージ情報を受信した際に、その時刻をメッセージ情報送受信部３Ａが保持するメッセージ情報に付加する。この付加された時刻は、メッセージ非表示設定部３Ｅが、一番古い時刻にメッセージ情報取得手段が受信したメッセージ情報を特定する際に使用する情報として用いられる。この情報により、画面表示の設定がされているメッセージ情報の内、一番時刻の古いメッセージ情報が特定できる。
【００４１】
表示有効回数減算部３Ｄは、新らしいメッセージをメッセージ情報取得手段２が取得する時にメッセージ情報格納手段４に既に格納されている各メッセージ情報をメッセージ情報送受信部３Ａを通して受信し、各メッセージ情報のＴＴＬ値を一つ減算し、メッセージ情報送受信部３Ａを通してメッセージ情報格納手段４に格納させる。これにより、新らしいメッセージをメッセージ情報取得手段２が取得する度に、各既存メッセージ情報のＴＴＬ値が一つ減る。
【００４２】
メッセージ非表示設定部３Ｅは、メッセージ情報送受信部３Ａがメッセージ情報取得手段２からメッセージ情報を取得した際に、メッセージ情報送受信部３Ａが保持するメッセージ情報に画面表示の設定を付加する。そしてその後に、メッセージ非表示設定部３Ｅは、表示有効回数減算部３Ｄがメッセージ情報格納手段４に既に格納されている各メッセージ情報のＴＴＬ値を一つ減算し、メッセージ情報送受信部３Ａを通してメッセージ情報格納手段４に格納させた後に、メッセージ情報格納手段４に格納されている画面表示設定がされているメッセージ情報の中で、そのＴＴＬ値が一番小さく且つ、表示の時間経過が一番長いメッセージ情報を画面非表示の設定にする。画面非表示の設定がされているメッセージは、メッセージウインドウ６の画面から消去され、処理が円滑に進む。メッセージウインドウ６が、新規のメッセージを表示する際は、画面非表示に設定されているメッセージを含めその下方全体のメッセージを一メッセージ分画面上方に移動し、画面非表示に設定されているメッセージを消去（スクロールアウト）して新しいメッセージを一番下に挿入する。
【００４３】
これにより、メッセージは、このＴＴＬ値が画面表示の設定がされているメッセージの内で一番小さく、表示の時間経過が一番長くなるまで、画面に表示がされる。重要度の高いメッセージは、初期に高いＴＴＬ値が設定されるので、その分長く画面表示される。
【００４４】
メッセージ情報格納手段４は、メッセージ情報送受信部３Ａから受信した前記メッセージ情報を格納する。又、メッセージ情報格納手段４は、メッセージ情報送受信部３Ａの要求により、格納されている前記メッセージ情報をメッセージ情報送受信部３Ａに送信する。メッセージ情報格納手段４は、具体的にはハードディスクドライブとその動作をコントロールするコンピュータとからなる機器で構成されている。これにより、常に監視対象計算機１０の新しいメッセージがメッセージ情報格納手段４に保管され、既にメッセージ情報格納手段４に保存されているメッセージは新たしく更新された状態で保管される。
【００４５】
メッセージ情報表示手段５は、メッセージ非表示設定部３Ｅが、メッセージ情報送受信部３Ａを通してメッセージ情報格納手段４にこのメッセージ情報を格納させた後、メッセージ情報格納手段４から前記メッセージ情報を取得する。メッセージ情報表示手段５は、このメッセージ情報を基にメッセージの表示法の指令とメッセージの内容を作成し、これらをメッセージウィンドウ６へと送信する。これにより、メッセージウィンドウ６が、画面非表示に設定されているメッセージを表示画面から消去し、画面表示設定されているメッセージを表示する。メッセージウインドウ６が、新規のメッセージを表示する際は、画面非表示に設定されているメッセージを含めその下方全体のメッセージを一メッセージ分画面上方に移動し、画面非表示に設定されているメッセージを消去（スクロールアウト）して新しいメッセージを一番下に挿入する。
【００４６】
メッセージウィンドウ６は、メッセージ情報表示手段５から受信したメッセージの表示方法の指令とメッセージの内容に基づいて、メッセージを表示する。メッセージウィンドウ６は、画面非表示に設定されているメッセージを表示画面から消去し、画面表示設定されているメッセージを表示する。メッセージウインドウ６が、新規のメッセージを表示する際は、画面非表示に設定されているメッセージを含めその下方全体のメッセージを一メッセージ分画面上方に移動し、画面非表示に設定されているメッセージを消去（スクロールアウト）して新しいメッセージを一番下に挿入する。このメッセージウィンドウ６は、例えば前記メッセージを迅速に確認できるディスプレイ表示器である。これにより、前記メッセージは、前記メッセージ情報を反映して画面に表示される。
【００４７】
（全体の動作）
次に、上記実施形態の基本的な動作を、図３乃至図５に基づいて説明する。ここで、図３は、図１に開示した本実施形態における動作を示すフローチャートである。
【００４８】
最初に、本実施形態における基本的な動作を説明し、続いて、本実施形態の全体的な動作を説明する。
メッセージ情報を収集する監視対象計算機１０から監視マネージャ１がメッセージ情報を取得し、その情報に基づいて前記メッセージを監視マネージャ１が画面に表示する。
【００４９】
監視対象計算機１０からメッセージ情報を監視マネージャ１が取得し、前記メッセージ情報にメッセージ情報適用手段３が、そのメッセージの重要度に応じたＴＴＬ（Ｔｉｍｅ  Ｔｏ  Ｌｉｖｅ、表示有効回数）値と、メッセージ取得時刻と、画面表示非表示の情報とを、付加する。これらの情報が付加された前記メッセージ情報をメッセージ情報格納手段４が格納する。そして、メッセージ情報適用手段３に設置された非表示設定機能３Ｅが、ＴＴＬ値（表示有効回数値）が一番小さく且つ表示の時間経過が一番長いという情報を持つメッセージ情報に画面非表示設定を付加する。これらのメッセージ情報に基づいてメッセージ情報表示手段５がメッセージの表示指令をし、前記メッセージ情報をメッセージ情報表示手段の指令の基にメッセージウィンドウ６が表示する。
【００５０】
次に、上記実施形態の全体的な動作を、図３乃至図５に基づいて詳細に説明する。
【００５１】
まず最初に、監視対象計算機１０のメッセージ情報収集手段１が、監視対象計算機１０が持っているメッセージ情報を収集する。このメッセージ情報は、メッセージ情報収集手段１１からメッセージ情報蓄積手段１２へと送信され、メッセージ情報蓄積手段１２に格納される。
【００５２】
次に、監視マネージャ１のメッセージ情報取得手段２が、前記メッセージ情報をメッセージ情報蓄積手段１２から取得する（ステップＳ１０１／メッセージ情報取得工程）。
前記メッセージ情報は、メッセージ情報適用手段３に送信され、メッセージ情報適用手段３の表示有効回数付加部３Ｂは、このメッセージの重要度に応じてメッセージ毎にＴＴＬ値を設定し、前記メッセージ情報に付加する。
【００５３】
ＴＴＬ値を付加された前記メッセージ情報は、メッセージ情報適用手段３から、監視マネージャ１のメッセージ格納手段４に格納される。又、新しいメッセージを１つ受信する度に、メッセージ格納手段４に格納されている各メッセージ情報のＴＴＬ値をメッセージ情報適用手段３の表示有効回数減算部３Ｄがひとつ減算する（ステップＳ２００／ＴＴＬ値減算工程）。
【００５４】
ステップＳ２００の詳細を図４に示す。図４は、図３におけるＴＴＬ減算処理の工程を示すフローチャートである。ＴＴＬ値がゼロより大きいかを判断する（ステップＳ２０１／ＴＴＬ値判断工程）。ＴＴＬ値がゼロより大きい場合は、そのＴＴＬ値をひとつ減算する（ステップＳ２０２／ＴＴＬ値減算工程）。そして、すべてのメッセージ情報に対して上記処理を行ったか判断する（ステップＳ２０３／処理メッセージ確認工程）。処理算残のメッセージがあれば、次のメッセージに処理を進める（ステップＳ２０４／次メッセージ処理工程）。
【００５５】
ＴＴＬ値が一番小さく且つ一番古いメッセージに、メッセージ非表示設定部３Ｅは、画面表示から消去する情報を付加する（ステップＳ３００／メッセージ画面非表示工程）。
【００５６】
ステップＳ３００の詳細を図５に示す。図５は、図３におけるメッセージ画面非表示工程を示すフローチャートである。
【００５７】
メッセージ非表示設定部３Ｅは、メッセージ情報格納手段４に格納されている画面表示設定がされているメッセージ情報からひとつのメッセージ情報を取り出し、メッセージ情報格納手段４が予め各メッセージ情報より抽出したＴＴＬ値と各時間経過値に基づいて、このメッセージ情報のＴＴＬ値が画面表示設定がされているメッセージ情報の内で、一番小さく且つ、表示の時間経過が一番長いかを判断する（ステップＳ３０１／ＴＴＬ値・時間経過判断工程）。一番小さく且つ、表示の時間経過が一番長い際には、このメッセージ情報を画面非表示の設定にする（ステップＳ３０２）。画面非表示の設定がされているメッセージは、メッセージウインドウ６の画面から消去される。メッセージウインドウ６が、新規のメッセージを表示する際は、画面非表示に設定されているメッセージを含めその下方全体のメッセージを一メッセージ分画面上方に移動し、画面非表示に設定されているメッセージを消去（スクロールアウト）して新しいメッセージを一番下に挿入する。そうでない場合は、次のメッセージ情報の判断に進む（ステップＳ３０３／次メッセージ処理工程）。
【００５８】
メッセージ情報適用手段５は、受信したメッセージ情報の重要度に応じて、適切なＴＴＬ値をメッセージ情報に対して付加（ステップＳ１０２／ＴＴＬ値付加工程）し、監視マネージャ１のメッセージ情報格納手段４のＴＴＬ値が付加されたメッセージ情報の最後尾へ格納する（ステップＳ１０３／メッセージ格納工程）。
【００５９】
メッセージ情報表示手段３は、メッセージ情報格納手段４からＴＴＬ値が付加されたメッセージ情報を取得しこの情報に基づいて、メッセージの表示方法の指令とメッセージの内容を作成し、これらをメッセージウィンドウ６へと送信する。
【００６０】
メッセージウィンドウ６は、メッセージ情報表示手段５から受信したメッセージの表示方法の指令とメッセージの内容に基づいて、メッセージを表示する（メッセージ表示工程）。画面に表示されているメッセージ全体を一メッセージ分画面上方に移動（スクロールアウト）し、新しいメッセージを一番下に挿入して表示する。
【００６１】
ここで、上述した動作説明において、各工程で実行される内容を、プログラム化しコンピュータに実行させるようにしてもよい。
〔第一の実施例〕
【００６２】
図６に、第一の実施例として、上記のように一連の動作が行われたときのメッセージウィンドウ６にメッセージが表示され新たしいメッセージが追加されていく様子を示す。図６は、メッセージウィンドウ６の時間経過と共に変化する表示の例であり、この図表の中で、メッセージの受信時刻とメッセージ及びそのメッセージのＴＴＬ値を示す。
【００６３】
図６はメッセージウィンドウ６での表示を時刻０９：００：００から時刻０９：０２：００までを切り出したものである。メッセージウィンドウ６には、５つのメッセージまで表示できる。
【００６４】
まず初めに、時刻０９：００：００に、「通常のメッセージ  ああああ」を監視マネージャ１が受信する。監視マネージャ１のメッセージ情報適用手段３は、このメッセージにＴＴＬ＝１を付加する。メッセージウインドウ６は、このメッセージとその受信時刻とそのＴＴＬ値を表示する（メッセージウィンドウ表示５１）。
【００６５】
時刻０９：００：１０に、「重要なメッセージ  エラーが発生しました！！」を監視マネージャ１が受信する。監視マネージャ１のメッセージ情報適用手段３は、このメッセージは重要なので、このメッセージにＴＴＬ＝１０を付加する。監視マネージャ１のメッセージ情報適用手段３は、メッセージ格納手段４内の他のメッセージのＴＴＬ値を一つ減算する。メッセージウインドウ６は、これらのメッセージとその受信時刻とそのＴＴＬ値を表示する（メッセージウィンドウ表示５２）。
【００６６】
時刻０９：００：２０に、「通常のメッセージ  いいいい」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージウインドウ６は、これらのメッセージとその受信時刻とそのＴＴＬ値を表示する（メッセージウィンドウ表示５３）。
【００６７】
時刻０９：００：３０に、「通常のメッセージ  うううう」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージウインドウ６は、これらのメッセージとその受信時刻とそのＴＴＬ値を表示する（メッセージウィンドウ表示５４）。
【００６８】
時刻０９：００：４０に、「通常のメッセージ  ええええ」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージウインドウ６は、これらのメッセージとその受信時刻とそのＴＴＬ値を表示する（メッセージウィンドウ表示５５）。
このとき、メッセージウィンドウ４はメッセージで満たされる。
【００６９】
時刻０９：００：５０に、「通常のメッセージ  おおおお」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「通常のメッセージ  ああああ」に画面非表示の設定を行う。メッセージウインドウ６は、画面表示設定のあるメッセージとその受信時刻とそのＴＴＬ値を表示する（メッセージウィンドウ表示５６）。
【００７０】
時刻０９：０１：００に、「通常のメッセージ  かかかか」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「通常のメッセージ  いいいい」に画面非表示の設定を行う。メッセージウインドウ６は、画面表示設定のあるメッセージとその受信時刻とそのＴＴＬ値を表示する（メッセージウィンドウ表示５７）。
【００７１】
時刻０９：０１：１０に、「通常のメッセージ  きききき」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「通常のメッセージ  うううう」に画面非表示の設定を行う。メッセージウインドウ６は、画面表示設定のあるメッセージとその受信時刻とそのＴＴＬ値を表示する（メッセージウィンドウ表示５８）。
【００７２】
時刻０９：０１：２０に、「通常のメッセージ  くくくく」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「通常のメッセージ  ええええ」に画面非表示の設定を行う。メッセージウインドウ６は、画面表示設定のあるメッセージとその受信時刻とそのＴＴＬ値を表示する（メッセージウィンドウ表示５９）。
【００７３】
時刻０９：０１：３０に、「通常のメッセージ  けけけけ」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「通常のメッセージ  おおおお」に画面非表示の設定を行う。メッセージウインドウ６は、画面表示設定のあるメッセージとその受信時刻とそのＴＴＬ値を表示する（メッセージウィンドウ表示６０）。
【００７４】
時刻０９：０１：４０に、「通常のメッセージ  ここここ」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「通常のメッセージ  かかかか」に画面非表示の設定を行う。メッセージウインドウ６は、画面表示設定のあるメッセージとその受信時刻とそのＴＴＬ値を表示する（メッセージウィンドウ表示６１）。
【００７５】
時刻０９：０１：５０に、「通常のメッセージ  ささささ」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「通常のメッセージ  きききき」に画面非表示の設定を行う。メッセージウインドウ６は、画面表示設定のあるメッセージとその受信時刻とそのＴＴＬ値を表示する（メッセージウィンドウ表示６２）。
【００７６】
時刻０９：０２：００に、「通常のメッセージ  しししし」を監視マネージャ１が受信する。監視マネージャ１のメッセージ情報適用手段３は、このメッセージにＴＴＬ＝１を付加する。監視マネージャ１のメッセージ情報適用手段３は、メッセージ格納手段４内の他のメッセージのＴＴＬ値を一つ減算する。メッセージ情報適用手段３は、一番ＴＴＬ値が小さいものの中で、受信時刻が一番古いメッセージである「重要なメッセージ  エラーが発生しました！！」に画面非表示の設定を行う。メッセージウインドウ６は、画面表示設定のあるメッセージとその受信時刻とそのＴＴＬ値を表示する（メッセージウィンドウ表示６３）。
【００７７】
上述した第一の実施例では、通常のメッセージの表示時間は５０秒間であったのに対して、重要なメッセージの表示時間は１１０秒間となる。これにより、重要なメッセージは、通常のメッセージに比べよりオペレータの注意を引く効果が期待できる。
その他の構成及び動作については、前述の実施形態と同等となっている。
〔第二の実施例〕
【００７８】
図７（Ａ）、（Ｂ）に、第二の実施例を示す。この図７では、重要度とフォントサイズの対応の例及びそのフォントサイズでのメッセージの表示の例を示す。これにより、重要度の高いメッセージに対して注意を引くようにすることができる。この場合、前記メッセージ情報表示手段が、前記メッセージの重要度が高いものから大きく、予め設定された重要度が高いものに大きいメッセージの文字を前記メッセージウィンドウに表示するように設定する（表示文字サイズ設定機能）。
【００７９】
図７（Ａ）にメッセージの重要度とフォントサイズの対応の例を示す。この図７（Ａ）は、メッセージの重要度とそれに対応して設定されるフォントサイズの例である。メッセージの重要度４１は、それぞれ重要、警告、通常及びデバッグ情報の４段階が存在し、それぞれにフォントサイズが２４ポイント、１６ポイント、８ポイント及び８ポイントが設定される。重要度の高いメッセージほど大きい文字ポイント数が設定される。
【００８０】
図７（Ｂ）に設定されたフォントサイズでのメッセージの表示例を示す。図７（Ｂ）は、設定されたフォントサイズでのメッセージ４１とそのメッセージのフォントサイズ４２を示す。フォントサイズ４２は、図７でメッセージの重要度に対応して設定されたフォントサイズである。設定されたフォントサイズでのメッセージ４１は、フォントサイズ４２の大きさで表示される。重要度の高いメッセージほど大きい文字ポイント数が設定されており、これにより。重要度の高いメッセージほど強くオペレータの注目を引くことができる。
その他の構成及び動作については、前述の実施形態と同等となっている。
【００８１】
（実施形態の効果）
本実施形態は、情報処理機器からの稼働状況を知らせるメッセージの重要度に応じて、重要度が高い場合は大きな値の表示有効回数値を付加し、新しいメッセージが表示される度に、この表示有効回数値をひとつづつ減算し、この表示有効回数が最小のメッセージの内、メッセージを受信した時刻が一番古いものから表示画面より消去するようにし、重要度が高いメッセージと低いメッセージとにメッセージウインドウ内に留まる時間に差を設けるようにしたので、重要度の高いメッセージが、重要度の低いメッセージによって容易に表示画面から消去されることを防ぐことができるという優れた効果を得ることができる。
【００８２】
上述した各実施形態については、その新規な技術的内容の要点をまとめると、以下のようになる。
尚、上記の実施形態の一部又は全部は、新規な技術として以下のようにまとめられるが、本発明は必ずしもこれに限定されるものではない。
【００８３】
（付記１）
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムであって、
前記監視マネージャが、前記監視対象計算機からメッセージ情報を取得するメッセージ情報取得手段と、これらのメッセージの重要度に応じた表示有効回数値とメッセージ取得時刻と画面表示設定の情報とを前記メッセージ情報に付加するメッセージ情報適用手段と、これらの情報が付加された前記メッセージ情報を格納するメッセージ情報格納手段とを備えると共に、
前記メッセージ情報適用手段が、新らしいメッセージを取得した際に前記メッセージ情報格納手段に既に格納されている前記メッセージ情報の前記表示有効回数値が一番小さく且つ表示の時間経過が一番長いメッセージの前記メッセージ情報に画面非表示設定を付加するメッセージ非表示設定部と、
このメッセージ情報に基づいて画面表示指令をするメッセージ情報表示手段と、
前記メッセージ情報を前記メッセージ情報表示手段の指令の基に画面表示するメッセージウィンドウとを備えていることを特徴とする情報処理機器の運用管理システム。
【００８４】
（付記２）
付記１に記載の情報処理機器の運用管理システムにおいて、
前記メッセージ情報適用手段が、前記監視対象計算機からメッセージ情報を取得した際に、前記メッセージ情報格納手段に既に格納されている各メッセージ情報の各前記表示有効回数値を一つ下げる表示有効回数値減算部を備えたことを特徴とする情報処理機器の運用管理システム。
【００８５】
（付記３）
付記１又は２に記載の情報処理機器の運用管理システムにおいて、
前記メッセージ情報適用手段は、前記監視対象計算機から前記メッセージを取得した際に、前記メッセージの重要度が高いものに大きい値の前記表示有効回数値を設定する表示有効回数付加部を備えていることを特徴とする情報処理機器の運用管理システム。
【００８６】
（付記４）
付記１乃至３の何れか一つに記載の情報処理機器の運用管理システムにおいて、
前記メッセージ情報表示手段が、前記メッセージの重要度が高いものから大きく、予め設定された重要度に対応した文字の大きさでメッセージの文字を前記メッセージウィンドウに表示するように設定する表示文字サイズ設定機能を備えたことを特徴とする情報処理機器の運用管理システム。
【００８７】
（付記５）
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムにあって、
前記監視対象計算機からメッセージ情報を前記監視マネージャが取得する際に、このメッセージの重要度に応じた表示有効回数値とメッセージ取得時刻と画面表示設定の情報とを前記メッセージ情報に前記監視マネージャに予め備えられたメッセージ情報適用手段が付加し、
これらの情報が付加された前記メッセージ情報を前記監視マネージャに予め備えられたメッセージ情報格納手段が格納し、
前記メッセージ情報格納手段に格納されている前記メッセージ情報の前記表示有効回数値が一番小さく且つ表示の時間経過が一番長いメッセージのメッセージ情報に前記メッセージ情報適用手段に予め備えられたメッセージ非表示設定機能が画面非表示設定を付加し、
このメッセージ情報に基づいて前記監視マネージャに予め備えられたメッセージ情報表示手段が画面表示指令をし、前記メッセージ情報を前記メッセージ情報表示手段の指令の基に前記監視マネージャに予め備えられたメッセージウィンドウが画面表示することを有することを特徴とする情報処理機器の運用管理方法。
【００８８】
（付記６）
付記５に記載の情報処理機器の運用管理方法において、
前記メッセージ情報適用手段に予め備えられた表示有効回数値減算部が、新らしいメッセージ情報を取得する際に、前記メッセージ情報格納手段に格納されている各メッセージ情報の各前記表示有効回数値を一つ下げることを特徴とする情報処理機器の運用管理方法。
【００８９】
（付記７）
メッセージ情報を収集する監視対象計算機と、この監視対象計算機から情報を受けその情報に基づいてこの監視対象計算機が保持するメッセージを取得し表示する監視マネージャとで構成されている情報処理機器の運用管理システムにあって、
前記監視対象計算機からメッセージ情報を取得する機能、このメッセージの重要度に応じた表示有効回数値とメッセージ取得時刻と画面表示設定の情報とを前記メッセージ情報に付加する機能、これらの情報が付加された前記メッセージ情報を格納する機能、このメッセージ情報に基づいて画面表示指令をする機能、前記メッセージ情報をこの指令の基に画面表示する機能、新らしいメッセージを取得する度に前記メッセージ情報格納手段に格納されている各前記メッセージ情報の各前記表示有効回数値を一つ下げる機能、及び前記メッセージ情報に画面表示の設定がされているメッセージの内で前記表示有効回数値が一番小さく且つ表示の時間経過が一番長いメッセージを前記メッセージ情報に画面非表示設定を付加する機能をコンピュータに実現させるようにしたことを特徴とする情報処理機器の運用管理プログラム。
【００９０】
（付記８）
付記７に記載の情報処理機器の運用管理プログラムにおいて、
前記メッセージ情報適用手段が、新らしいメッセージ情報を取得する度に前記メッセージ情報格納手段に格納されている各メッセージ情報の前記各表示有効回数値を一つ下げる機能を前記コンピュータに実現させるようにしたことを特徴とする情報処理機器の運用管理プログラム。
【産業上の利用可能性】
【００９１】
本発明は、管理される装置の出力するメッセージを収集し、前記装置の障害を検出する運用管理装置全般に利用できる。
【符号の説明】
【００９２】
１    監視マネージャ
２    メッセージ情報取得手段
３    メッセージ情報適用手段
３Ａ  表示有効回数付加部
３Ｂ  時刻付加部
３Ｃ  メッセージ情報送受信部
３Ｄ  表示有効回数減算部
３Ｅ  メッセージ非表示設定部
４    メッセージ情報格納手段
５    メッセージ情報表示手段
６    メッセージウィンドウ
１０  監視対象計算機
【図１】
0005560849.tif 000002
【図２】
0005560849.tif 000003
【図３】
0005560849.tif 000004
【図４】
0005560849.tif 000005
【図５】
0005560849.tif 000006
【図６】
0005560849.tif 000007
【図７】
0005560849.tif 000008
【図８】
0005560849.tif 000009